(57)【要約】【課題】停電等により冷却ファンが停止してしまったような場合でも、装置内に蓄積された熱を排出可能とし、これにより、装置内に蓄積された熱に起因するトラブルの発生を防止した画像形成装置の提供。【解決手段】シート上に画像を形成する画像形成装置であって、外部の空気を取り入れる第１の開口部と、外部の空気を取り入れる第２の開口部と、前記第１の開口部から取り入れられた空気を、装置内部に送り込むファンと、前記第２の開口部から取り入れられる空気を、遮断したり通過させるシャッタと、を有し、前記ファンは画像形成装置の電源がＯＮの時に回転し、前記シャッタは、画像形成装置の電源がＯＮの時に閉じて前記第２の開口部から取り入れられる空気を遮断し、画像形成装置の電源がＯＦＦの時に開くことを可能とされ、前記第２の開口部から取り入れられる空気を通過可能とすることを特徴とする画像形成装置。【選択図】図１
2009053407.tif 000002
【特許請求の範囲】
【請求項１】
シート上に画像を形成する画像形成装置であって、
外部の空気を取り入れる第１の開口部と、外部の空気を取り入れる第２の開口部と、
前記第１の開口部から取り入れられた空気を、装置内部に送り込むファンと、
前記第２の開口部から取り入れられる空気を、遮断したり通過させるシャッタと、を有し、
前記ファンは画像形成装置の電源がＯＮの時に回転し、
前記シャッタは、画像形成装置の電源がＯＮの時に閉じて前記第２の開口部から取り入れられる空気を遮断し、画像形成装置の電源がＯＦＦの時に開くことを可能とされ、前記第２の開口部から取り入れられる空気を通過可能とすることを特徴とする画像形成装置。
【請求項２】
画像形成装置内部の温度を検知する温度検知部と、
前記シャッタの開閉動作を禁止又は許可する規制部とを有し、
前記規制部は、前記温度検知部により検知された温度が所定温度以上であれば、前記シャッタの開から閉への動作を禁止するように動作し、前記温度検知部により検知された温度が所定温度未満であれば、前記シャッタの閉から開への動作を禁止するように動作することを特徴とする請求項１に記載の画像形成装置。
【請求項３】
前記第２の開口部から取り入れられた空気を、前記シャッタを介して、画像形成装置内部の所定部まで送るダクトを有することを特徴とする請求項２に記載の画像形成装置。
【請求項４】
前記所定部は、トナーカートリッジ、現像ユニット、クリーニング手段、及び廃棄トナー回収ボックスの少なくとも１つの周囲であることを特徴とする請求項３に記載の画像形成装置。
【発明の詳細な説明】
【技術分野】
【０００１】
本発明は画像形成装置に関し、特に内部機器の冷却技術に関する。
【背景技術】
【０００２】
電源オフ情報の検出後、定着部の温度に応じて冷却ファンの駆動時間を可変制御する画像形成装置が知られている（例えば特許文献１参照。）。
【０００３】
また、装置内に外気を導入して装置内を冷却する冷却ファンと、装置内の空気を排出する排気口と、冷却ファンの作動時には排気口を開き停止時は閉じるシャッターを有する冷却装置と画像形成装置が知られている（例えば特許文献２参照。）。
【特許文献１】特開平１０−１０９５５号公報
【特許文献２】特開平１１−１７４５９６号公報
【発明の開示】
【発明が解決しようとする課題】
【０００４】
特許文献１に記載の画像形成装置は、電源オフ情報の検出後、定着部の温度に応じて冷却ファンの停止を延長する方向に可変制御するため、
定着部等で発生し、装置内に蓄積された熱により電源オフ後にトナーカートリッジ内のトナーが融着することは防止している。
【０００５】
しかし、主電源スイッチのＯＦＦ、停電、又は冷却ファンの故障等により冷却ファンが停止してしまったような場合は装置内に蓄積された熱を排出できなくなり、例えばトナーカートリッジ内、現像ユニット内、クリーニング手段内、或いは不図示の廃棄トナー回収ボックスの内部のトナーが融着又は劣化してしまう可能性、があるという問題点があった。
【０００６】
また、特許文献２に記載の冷却装置と画像形成装置は、冷却ファンの作動時にはシャッタが開き、排気口から装置内の空気を排出し、装置内を冷却可能としている。
【０００７】
しかし、同様にして冷却ファンが停止してしまったような場合は装置内に蓄積された熱を排出できなくなり、例えばトナーカートリッジ内、現像ユニット内、或いはクリーニング手段内のトナーが融着又は劣化してしまう可能性があるという問題点があった。
【０００８】
本発明は上記問題点に鑑み、停電等により冷却ファンが停止してしまったような場合でも、装置内に蓄積された熱を排出可能とし、これにより、装置内に蓄積された熱に起因するトラブルの発生を防止した画像形成装置を提供することを目的とする。
【課題を解決するための手段】
【０００９】
前記目的は下記の発明により達成される。
１．シート上に画像を形成する画像形成装置であって、
外部の空気を取り入れる第１の開口部と、外部の空気を取り入れる第２の開口部と、
前記第１の開口部から取り入れられた空気を、装置内部に送り込むファンと、
前記第２の開口部から取り入れられる空気を、遮断したり通過させるシャッタと、を有し、
前記ファンは画像形成装置の電源がＯＮの時に回転し、
前記シャッタは、画像形成装置の電源がＯＮの時に閉じて前記第２の開口部から取り入れられる空気を遮断し、画像形成装置の電源がＯＦＦの時に開くことを可能とされ、前記第２の開口部から取り入れられる空気を通過可能とすることを特徴とする画像形成装置。
【発明の効果】
【００１０】
上記手段により、停電等により冷却ファンが停止してしまったような場合でも、装置内に蓄積された熱に起因するトラブルの発生を防止した画像形成装置を提供することが可能となる。
【発明を実施するための最良の形態】
【００１１】
以下に図を参照して本発明を説明するが、本発明は図示の実施の形態に限られない。
【００１２】
図１は画像形成装置の概略断面図である。
【００１３】
以下に図を参照して本発明を説明するが、本発明は図示の実施の形態に限られない。
【００１４】
画像形成装置１は、原稿ｄを画像読取位置２１に搬送した後、原稿排紙台１５に排紙する原稿給紙手段２と、原稿ｄの画像を読み取る画像読取手段３と、読み取った画像データに基づきトナー画像を形成する画像形成手段４と、給紙トレイＴから所定のサイズの用紙を１枚ずつ取りだして給紙する給紙手段５と、給紙手段５で取りだした用紙Ｐを転写器３５まで搬送する用紙搬送手段６と、転写されたトナー画像を用紙Ｐに定着する定着手段７と、定着済み用紙を反転したり、再度画像の転写位置に搬送・給紙する反転排紙・再給紙手段８と、タッチパネル９１等を有し、各種の表示を行い操作スイッチ等の操作情報を入力する操作パネル９と、外部のＰＣ（Ｐｅｒｓｏｎａｌ  Ｃｏｍｐｕｔｅｒ）やサーバーとネットワーク（例えばＬＡＮやインターネット）を介して通信を行う通信手段Ｃ１１と、これらを制御する制御手段Ｃ１、等と、を有している。
【００１５】
以下詳細に説明する。
【００１６】
画像読取手段３は、原稿を照射するランプ２３１と原稿からの反射光を反射させる第１ミラーユニット２３と、第２ミラーユニット２４と、結像レンズ２５と、結像レンズ２５によって結像された原稿画像を光電変換するライン状のＣＣＤ２６を有している。
【００１７】
また、プラテンガラス２２上に原稿ｄを直接載置して画像読み取りを行う場合は第１ミラーユニット２３と第２ミラーユニット２４とが移動して、ＣＣＤ２６に原稿画像を結像させている。
【００１８】
画像形成手段４は、電子写真プロセスを用いて画像形成する部位であり、像担持体としての光導電性感光層を表面に有する感光体ドラム３１、感光体ドラム３１の表面を一様帯電させる帯電器３２、画像処理後の画像データに基いて感光体ドラム３１上を露光して静電潜像を形成するためのＬＥＤアレーを用いた露光手段３３、感光体ドラム３１上に形成された静電潜像を現像してトナー像となす現像ユニット３４、顕像化された前記トナー像を用紙上に転写せしめる転写器３５、トナー像が転写された用紙の裏面からＡＣコロナ放電を行い、前記感光体ドラム３１から用紙の分離を促進する除電器３６、および、感光体ドラム３１に残留したトナーを清掃するためのクリーニング手段３７等、を有している。
【００１９】
定着手段７は、加熱源Ｈを内蔵する加熱ローラ７１と、加熱ローラ７１と圧接しながら回転する圧接ローラ７２を有している。
【００２０】
定着手段７の下流には、定着排出ローラ５１、切替手段５２、及び用紙を用紙集積トレイ５４に向けて排出する排紙ローラ５３が配設されている。
【００２１】
反転排紙・再給紙手段８は、定着後の用紙Ｐを反転排紙したり、両面画像形成モードに従って用紙Ｐを反転後、画像形成手段４に再給紙する。
【００２２】
以下これ等の作用について説明する。
【００２３】
操作パネル９からジョブ情報と画像形成の起動指示が入力されると画像形成装置１が起動する。
【００２４】
これにより、原稿給紙手段２は、原稿載置台１１上に載置された原稿ｄを、原稿分離手段１２によって１枚ずつ分離して、原稿搬送手段１３によって画像読取位置２１に搬送する。
【００２５】
画像が読み取られた原稿は、原稿排紙手段１４によって原稿排紙台１５上へと排紙される。
【００２６】
原稿画像がＣＣＤ２６により読み取られ光電変換されたアナログ信号は、画像処理部（不図示）において、アナログ処理後Ａ／Ｄ変換されシェーディング補正、フィルタ処理、γ補正、画像圧縮処理等の画像処理を施されてデジタル画像情報とされた後、一旦、ＲＡＭ（Ｒａｎｄｏｍ  Ａｃｃｅｓｓ  Ｍｅｍｏｒｙ）８３に記憶される。
【００２７】
そして、不図示の駆動手段によって矢示の方向に回転する感光体ドラム３１を帯電器３２により均一帯電した後、感光体ドラム３１上に露光手段３３によるドット露光で原稿の画像情報に対応した静電潜像を形成する。
【００２８】
次いで、現像ユニット３４により静電潜像をトナー像とし、トナー像はレジストローラ３８の回転開始により給送される用紙Ｐ上に、転写器３５の作用を介して転写させる。
【００２９】
そして、除電器３６によりトナー像を担持した用紙を感光体ドラム３１から分離し、用紙上に転写されたトナー像を定着手段７により定着し、定着済みの用紙を用紙集積トレイ５４に集積する。
【００３０】
このようにして画像形成が順次行われるが、画像形成処理を行う中で発熱源である定着手段７等から熱が放出される。
【００３１】
このため画像形成装置１は画像形成装置１の内部の空気を換気するために、外部の空気を取り入れる第１の開口部（不図示）と、第１の開口部に配設されて第１の開口部により取り入れられた空気を画像形成装置１内部に送り込むファン１６を有している。
【００３２】
ファン１６は後に詳しく説明するように画像形成装置１の電源がＯＮの時に回転する。
【００３３】
また、画像形成装置１は、例えばファン１６が停止しても画像形成装置１内部に外気を取り入れ可能なように、第２の開口部４１を有している。
【００３４】
そして、第２の開口部４１には、取り入れられる空気を、遮断したり通過させるシャッタ４５が配設されている。
【００３５】
シャッタ４５の下流では、第２の開口部４１から取り入れられた空気を流すダクト５０の一端が開口し、ダクト５０の他端は、蓄積された熱でトラブルを発生する可能性のある所定部、例えばトナーカートリッジ３４１、現像ユニット３４、クリーニング手段３７、及び不図示の廃棄トナー回収ボックスの各周囲に開口している。
【００３６】
なお、図が複雑になり不明瞭にならぬよう、ダクト５０の他端は、現像ユニット３４とクリーニング手段３７との周囲で開口している様子を示した（破線）。実際はそれ以外にトナーカートリッジ３４１と廃棄トナー回収ボックスの各周囲でも開口している。
【００３７】
なお、これら全てに開口するのが好ましいが、これらの中のいずれに開口させるかは、予め実験等を行い、トラブルの発生状況に応じて決めておいても良い。
【００３８】
そして、第２の開口部４１から取り入れられた空気が、シャッタ４５を通過し、例えばトナーカートリッジ３４１、現像ユニット３４、クリーニング手段３７、及び不図示の廃棄トナー回収ボックスの周囲まで送られ、これらを冷却している。
【００３９】
また、画像形成装置１は、第１の開口部（不図示）と第２の開口部４１等から取り入れられ空気を装置外部に排出する排気口１７を有している。
【００４０】
図２は外気取入口とシャッタとシャッタの動作を規制する規制手段との説明図である。
【００４１】
図２（ａ）、（ｂ）、（ｃ）において、
第２の開口部４１は、外気の取り入れを可能とする開口部４１ａと外気の取り入れを不能とする閉口部４１ｂとを交互に有している。
【００４２】
シャッタ４５は、第２の開口部４１の開口部４１ａと閉口部４１ｂとに対応する、開口部４５ａと閉口部４５ｂとを交互に有している。
【００４３】
そして、第２の開口部４１の開口部４１ａに対してシャッタ４５の閉口部４５ｂを一致させることにより、第２の開口部４１から取り入れられる空気を遮断可能（シャッタ閉じ）としている。
【００４４】
以下、第２の開口部４１から取り入れられる空気を遮断可能とすることを閉じ動作（または閉じる）と記し、遮断可能とする位置を閉じ位置と記し、遮断可能とする方向を閉じ方向と記す。
【００４５】
また、第２の開口部４１の開口部４１ａに対してシャッタ４５の開口部４５ａを一致させることにより、第２の開口部４１から取り入れられる空気を通過可能（シャッタ開）としている。
【００４６】
以下、第２の開口部４１から取り入れられる空気を通過可能とすることを開動作（または開く）と記し、通過可能とする位置を開位置と記し、通過可能とする方向を開方向と記す。
【００４７】
シャッタ４５には、レバー４７２の取り付け位置と反対側に、シャッタ４５を開位置（図示下側）方向に常時付勢する付勢手段４６が配設されている。付勢手段４６は弾性部材で例えばバネを用いることができる。
【００４８】
従って、シャッタ４５は、シャッタ開閉ソレノイド４７１に通電されていない時でも、付勢手段４６によって開位置に向けて付勢されている。
【００４９】
シャッタ開閉手段４７は、シャッタ４５を開閉する、即ち図示上下方向（矢印Ｗ２方向）に駆動する駆動手段であるシャッタ開閉ソレノイド４７１（以下、シャッタ４５を駆動する駆動手段をシャッタ開閉ソレノイド４７１と記す）と、
シャッタ開閉ソレノイド４７１の力を伝達するレバー４７２と、レバー４７２を揺動可能（矢印Ｗ１方向）に支持する支軸４７３と、を有している。
【００５０】
そして、レバー４７２の一端がシャッタ開閉ソレノイド４７１に接続され、レバー４７２の他端がシャッタ４５（付勢手段取り付け位置と反対側）に接続されている。
【００５１】
シャッタ開閉ソレノイド４７１は、画像形成装置の電源がＯＮとなって通電されると、付勢手段４６の付勢に抗してレバー４７２を介してシャッタ４５を閉じ位置（図示上側）に移動させ、閉口部４５ｂが開口部４１ａを遮蔽することにより外気の取り入れを不能とする。
【００５２】
これにより、シャッタ４５は、画像形成装置の電源がＯＮの時に閉じて（即ち開口部４１ａを閉口部４５ｂで遮蔽して）第２の開口部４１から取り入れられる空気を遮断する。
【００５３】
また、シャッタ開閉ソレノイド４７１は、画像形成装置の電源がＯＦＦとなって通電されない時は、付勢手段４６の付勢によりシャッタ４５が閉じ位置（図示下側）に向けて付勢され、外気の取り入れを可能とする。
【００５４】
これにより、シャッタ４５は、画像形成装置の電源がＯＦＦの時に開いて（開口部４１ａと開口部４５ａとを一致させ）第２の開口部４１から取り入れられる空気を通過可能とする。
【００５５】
シャッタ４５の開閉動作を禁止または許可する規制手段４３は、シャッタ４５の閉位置から開位置への移動を禁止可能としている。
【００５６】
規制手段４３は、シャッタ４５の上述した移動を禁止するストッパ４３２と、ストッパ４３２を矢印Ｗ３方向に駆動する駆動手段である規制手段駆動モータ４３１（以下、前記駆動手段を規制手段駆動モータ４３１と記す）とを有している。
【００５７】
規制手段駆動モータ４３１は制御手段Ｃ１に制御され、ストッパ４３２を駆動し、ストッパ４３２の停止位置を決めている。
【００５８】
なお、規制手段駆動モータ４３１はパルスモータ、又はアクチュエータが回転運動をするロータリソレノイド等を用いることができる。
【００５９】
ストッパ４３２は、シャッタ４５の閉位置から開位置への移動を禁止する規制位置４３３と、シャッタ４５が自由に移動可能な非規制位置４３４と、のいずれか一方に位置決めされる。
【００６０】
詳しくは後述するが、装置内部が所定温度以上になるとストッパ４３２は非規制位置４３４に位置決めされ、シャッタ４５の閉位置から開位置への移動を許可する。
【００６１】
また、所定温度以下になるとストッパ４３２は規制位置４３３に位置決めされ、シャッタ４５の閉位置から開位置への移動を禁止する。
【００６２】
なお、規制手段駆動モータ４３１により駆動されるストッパ４３２は、規制手段駆動モータ４３１への通電が切れても、切れる直前の位置を維持する。
【００６３】
従って、例えば、電源が切られる直前に装置内部が所定温度以上になっておりストッパ４３２が非規制位置４３４にある時は、電源が切られて規制手段駆動モータ４３１及びシャッタ開閉ソレノイド４７１への通電が絶たれたような場合でも、ストッパ４３２は非規制位置４３４を維持し、シャッタ４５の閉位置から開位置への移動を許可する。
【００６４】
これにより、シャッタ４５は付勢手段４６の付勢により閉位置から開位置へ移動する。
【００６５】
以上により、装置内部が所定温度以上となっている場合は、電源断時等によりファン１６が停止後も、シャッタ４５を開いて第２の開口部４１からの外気取り込みを可能とし、装置内部に蓄積された熱を排出させ、装置内に蓄積された熱に起因するトラブルの発生を防止可能とする。
【００６６】
また、電源が切られる直前に装置内部が所定温度未満になっておりストッパ４３２が規制位置４３３にある時は、ストッパ４３２は規制位置４３３を維持し、シャッタ４５の閉位置から開位置への移動を禁止する。
【００６７】
これにより、シャッタ４５は閉位置から開位置への移動が不能となり、閉位置を維持する。
【００６８】
以上により、電源断時等によりファン１６が停止しても、装置内部が所定温度未満となっている場合は装置内に蓄積された熱に起因するトラブルの発生の危険性がないため、シャッタ４５を閉じて第２の開口部４１からの外気取り込みを行わない。また、装置該外部からの内部へのゴミ等の浸入を防止可能としている。
【００６９】
図２（ａ）は、例えば通常運転中のように、シャッタ４５が閉位置に位置し、第２の開口部４１からの外気取り入れを不能とするように遮蔽している図である。
【００７０】
図２（ｂ）は、図２（ａ）の第２の開口部４１とシャッタ４５とを上から見た図である。
【００７１】
画像形成装置の筐体１ａにはシャッタ４５を案内し、紙面表裏方向に移動可能とさせる１対のシャッタガイド部材４２が固定されている。
【００７２】
そして、シャッタ４５は、シャッタ開閉ソレノイド４６のＯＮ／ＯＦＦにより、シャッタガイド部材４２に案内されて紙面表裏方向に移動可能となっている。
図２（ｃ）はシャッタ４５が開位置に位置し、第２の開口部４１の外気取り入れを可能とするように解放している図である。
【００７３】
図３は画像形成装置の電力供給関係を示す概念図である。
【００７４】
商用電源６０が画像形成装置１の主電源スイッチ６１に接続されている。
【００７５】
主電源スイッチ６１のＯＮにより商用電力が制御系電源６２と駆動系電源６５に通電され、制御系電源６２から制御電力（例えば５Ｖ系）６３が出力される。
【００７６】
制御電力（例えば５Ｖ系）６３の出力により制御手段Ｃ１が制御状態となる。
【００７７】
副電源スイッチ６４のＯＮにより制御手段Ｃ１は駆動系電源６５に出力ＯＮ制御信号６６を出力し、駆動系電源６５はこれにより、画像形成装置の電源である駆動電力（例えば２４Ｖ系）６７を出力する。
【００７８】
駆動電力（例えば２４Ｖ系）６７の出力により、ファン１６に通電されファンが回転し外気を装置内部に送り込む。
【００７９】
また、シャッタ開閉ソレノイド４７１に通電され、上述したように、付勢手段４６の付勢に抗してレバー４７２を介してシャッタ４５を閉じ位置（図示上側）に移動させ、外気の取り入れを不能とする。
【００８０】
また、規制手段駆動モータ４３１を制御手段Ｃ１により制御可能としている。
【００８１】
図４は画像形成装置の制御に係るブロック図である。
【００８２】
図４を参照して画像形成装置の制御に係るブロック図を説明する。
【００８３】
制御手段Ｃ１は、ＣＰＵ（Ｃｅｎｔｒａｌ  Ｐｒｏｃｅｓｓｉｎｇ  Ｕｎｉｔ）８１、ＲＯＭ（Ｒｅａｄ  Ｏｎｌｙ  Ｍｅｍｏｒｙ）８２、及び、ＲＡＭ（Ｒａｎｄｏｍ  Ａｃｃｅｓｓ  Ｍｅｍｏｒｙ）８３、各種手段と部材とをＣＰＵ８１の制御の下にコントロールするＩ／Ｏコントローラ８４及び、これらを相互に接続するバス８５を有している。
【００８４】
ＲＯＭ８２には予め画像形成装置全体を制御するプログラムと、
所定温度、即ち装置内に蓄積された熱に起因するトラブルの発生を防止可能とする温度、例えばトナーカートリッジ３４１、現像ユニット３４、クリーニング手段３７、及び不図示の廃棄トナー回収ボックスの内部でトナーが融着しない限界の温度に余裕温度を加えた温度等が記憶されている。
【００８５】
そして、ＣＰＵ８１により画像形成装置全体を制御するプログラムが逐次ＲＡＭ８３に格納され、実行される。
【００８６】
操作パネル９はＣＰＵ８１の制御の下、Ｉ／Ｏコントローラ８４を介して各種操作画面等の表示を行い、操作画面上に表示されたスイッチ等の操作情報（各種キーの選択情報）が制御手段Ｃ１に入力される。
【００８７】
また、操作パネル９は通常オペレータが使用する電源スイッチである副電源スイッチ６４を有し、操作情報が制御手段Ｃ１に入力される。
【００８８】
原稿給紙手段２は、操作パネル９から画像形成装置の起動情報が入力されるとＣＰＵ８１の制御の下、Ｉ／Ｏコントローラ８４を介して、原稿分離手段１２と原稿搬送手段１３とを作動させ原稿ｄを画像読取位置２１まで搬送する。
【００８９】
画像読取手段３は、ＣＰＵ８１の制御の下、Ｉ／Ｏコントローラ８４を介して、原稿給紙手段２により搬送される原稿から原稿画像を読み込み、アナログ原稿画像情報として制御手段Ｃ１に入力する。そして、制御手段Ｃ１はアナログ原稿画像をデジタル画像化して不図示のＨＤＤ（Ｈａｒｄ  Ｄｉｓｋ  Ｄｒｉｖｅ）等に記憶させる。
【００９０】
画像形成手段４はＣＰＵ８１の制御の下、Ｉ／Ｏコントローラ８４を介して、前記ＨＤＤから読み出されたデジタル画像データに基づいて、露光手段３３のＬＥＤアレーにより感光体ドラム３１に潜像を形成し、現像ユニット３４によりトナー画像を形成する。
【００９１】
給紙手段５はＣＰＵ８１の制御の下、Ｉ／Ｏコントローラ８４を介して操作パネル９から入力された給紙カセット情報に基づき所定の給紙カセットから用紙を給紙する。
【００９２】
用紙搬送手段６はＣＰＵ８１の制御の下、Ｉ／Ｏコントローラ８４を介して給紙手段５から供給された用紙Ｐを、レジストローラ３８で位置決めを行い、所定のタイミングで転写位置に向けて搬送する。
【００９３】
定着手段７はＣＰＵ８１の制御の下、Ｉ／Ｏコントローラ８４を介して加熱ローラ７１の温度調整が行われ、トナー画像の定着を行う。
【００９４】
反転排紙・再給紙手段８はＣＰＵ８１の制御の下、Ｉ／Ｏコントローラ８４を介して両面印刷時等に用紙反転部を作用させ、用紙の反転及び再給紙を行う。
【００９５】
通信手段Ｃ１１はネットワーク（例えばＬＡＮ）を介して外部のＰＣ等と接続されており、制御手段Ｃ１の制御の下、ＰＣと画像情報等の送受信を行なう。そして、制御手段Ｃ１は、受信した画像情報等をＨＤＤ等に記憶させる。
【００９６】
ファン１６は、故障等によりファンが回転できなくなった場合に異常を検出し、ファン異常情報を制御手段Ｃ１に入力する。
【００９７】
温度センサ１８は、画像形成装置内部の温度を検知し、検知した温度情報を制御手段Ｃ１に入力する。
【００９８】
なお、温度センサ１８の取り付け位置は、装置内温度を測定できれば特に限定しないが、好ましくは、例えばトナーカートリッジ近傍、現像ユニット近傍、クリーニング手段近傍、或いは不図示の廃棄トナー回収ボックス近傍のうち、一番温度が高い部分が良い。
【００９９】
駆動系電源６５は、Ｃ。ＰＵ８１の制御の下、Ｉ／Ｏコントローラ８４を介して入力された、出力ＯＮ制御信号により、駆動電力（例えば２４Ｖ系）を出力する。
【０１００】
規制手段駆動モータ４３１は、Ｉ／Ｏコントローラ８４を介してストッパ４３２を規制位置４３３又は非規制位置４３４に停止させる。
【０１０１】
図５は画像形成装置の内部機器の冷却に係るフロー図である。
【０１０２】
本フローは制御手段により実行されるが、画像形成装置の内部機器の冷却に係る制御をマクロ的に説明した方が全体像を把握できるので、一部ハード的に実行される制御についても記載してある。
【０１０３】
なお、制御手段により実行される制御についてはステップ番号を付し、ハード的に実行される制御についてはステップ番号を付していない。
【０１０４】
１．主スイッチＯＮ判断
主スイッチ６１がＯＮとなっていれば次ステップ「制御系電源６２と駆動系電源６５への商用電力供給ＯＮ」に進み、ＯＮとなっていなければ「制御系電源６２と駆動系電源６５への商用電力供給ＯＦＦ」ステップに進む。
【０１０５】
２．制御系電源６２と駆動系電源６５への商用電力供給ＯＮ
主スイッチ６１のＯＮにより商用電力が制御系電源６２と駆動系電源６５とに供給され、次ステップ「制御系電力出力ＯＮ」に進む。
【０１０６】
３．制御系電力出力ＯＮ（制御手段起動）
制御系電源６２への商用電力供給により制御系電力が出力され、制御手段Ｃ１が起動し、次ステップ（ステップＳ１０１）に進む。
【０１０７】
４．副スイッチＯＮ／ＯＦＦ判断（ステップＳ１０１）
副スイッチ６４を監視し、ＯＮを検知すると（Ｙｅｓ）次ステップに進み、ＯＮを検知するまで（Ｎｏ）ステップＳ１０１を繰り返す。
【０１０８】
５．駆動系電源の出力ＯＮ制御信号を出力（ステップＳ１０２）
駆動系電源６５の出力ＯＮ制御信号を出力し、次ステップ「駆動系電力出力ＯＮ」に進む。
【０１０９】
６．駆動系電力出力ＯＮ
駆動系電源６５の出力ＯＮ制御信号により駆動系電力が出力され、次ステップ「ファンＯＮ  シャッタ開閉ソレノイドＯＮ」に進む。
【０１１０】
７．ファンＯＮ  シャッタ開閉ソレノイドＯＮ
駆動系電力の出力によりファン１６に通電され、ファンが回転し装置内に外気を送り込む。
【０１１１】
また、シャッタ開閉ソレノイド４７１に通電され、シャッタ４５が閉位置に移動し、外気の取り入れを不能とし、次ステップ「画像形成」に進む。
【０１１２】
これにより、第２の開口部４１からの空気の取り込みは行われないが、ファン１６の作動により装置内部の換気（冷却）が行われる。
【０１１３】
８．画像形成
画像形成部で画像形成を行ない、次ステップ（ステップＳ１０３）に進む。
【０１１４】
９．温度センサの検出温度ｔ２の取り込み（ステップＳ１０３）
温度センサ１８の検出温度を取り込み、例えばＲＡＭ８３に記憶させ、次ステップに進む。
【０１１５】
１０．所定温度ｔ１の読み込み（ステップＳ１０４）
所定温度ｔ１をＲＯＭ８２から読み込み、次ステップに進む。
【０１１６】
なお、例えばトナーカートリッジ３４１、現像ユニット３４、クリーニング手段３７、及び不図示の廃棄トナー回収ボックスの内部で、トナーが融着しない限界の温度に余裕温度を加えた温度を所定温度ｔ１とする。
【０１１７】
１１．所定温度ｔ１と取込温度ｔ２の比較（ステップＳ１０５）
ステップＳ１０４で読み込んだ所定温度ｔ１と、ステップＳ１０３で記憶させた温度センサ１８の検出温度ｔ２を比較し、次ステップに進む。
【０１１８】
１２．所定温度ｔ１≦取込温度ｔ２の判断（ステップＳ１０６）
所定温度ｔ１と検出温度ｔ２を比較した結果、取込温度ｔ２が所定温度ｔ１以上であれば（Ｙｅｓ）、トナーが融着の危険性に近いと判断し、次ステップに進む。
【０１１９】
また、取込温度ｔ２が所定温度ｔ１未満であれば（Ｎｏ）、安全と判断しステップＳ１０９に進む。
【０１２０】
ここで、ステップＳ１０６において、ファン１６から、故障等によりファンが回転できなくなった場合に出力されるファン異常情報が制御手段Ｃ１に入力された場合、トナーが融着の危険性有りと判断し、ステップＳ１０７に進むようにしても良い。こうすることで、ファン１６の故障による装置内温度上昇に対しても、シャッタ４５を外気の取り入れを可能とする方向に移動可能とできる。
【０１２１】
１３．ストッパを非規制位置に移動（ステップＳ１０７）
トナーの融着を防止するため、規制手段駆動モータ４３を駆動してストッパ４３２を非規制位置４３４に移動させ、シャッタ４５の閉から開への動作を許可するように動作する。
【０１２２】
これにより、シャッタ４５は付勢手段４６の付勢により外気の取り入れを可能とする位置（シャッタ開位置）へ移動し、次ステップに進む。
【０１２３】
なお、電源投入後、例えば連続して長時間の画像形成等が行われなければ、画像形成装置内の温度（取り込み温度）は通常、ステップＳ１０６に規定された温度以上に上昇することもない。
【０１２４】
このような場合ストッパ４３２は規制位置４３３に位置し、本ステップにおいて非規制位置４３４に移動する。
【０１２５】
また、何らかの原因で、ストッパ４３２が既に規制位置４３３に位置しているような場合、ステップＳ１０７では規制位置４３３から非規制位置４３４に移動させる。
【０１２６】
また、何らかの原因で、ストッパ４３２が既に非規制位置４３４に位置しているような場合、ステップＳ１０７では非規制位置４３４を維持させることは言うまでもない。
【０１２７】
なお、ストッパ４３２は、電源等が切られても本ステップで決められた位置を維持する。
【０１２８】
１４．ジョブ終了判断（ステップＳ１０８）
オペレータにより設定されたジョブ条件を読み出して、例えば所定の部数の画像形成が完了すれば（Ｙｅｓ）ジョブ終了と判断してエンドに進み、所定の部数の画像形成が完了していなければ（Ｎｏ）ジョブ未了と判断して「画像形成」ステップに進む。
【０１２９】
１５．ストッパを規制位置に移動（ステップＳ１０９）
トナーの融着等の虞がないので、規制手段駆動モータ４３を駆動してストッパ４３２を規制位置４３３に移動させ、シャッタ４５の閉から開への移動を禁止するように動作する。
【０１３０】
これにより、シャッタ４５の閉位置から開位置への移動（外気の取り入れを可能とする位置への移動）を禁止し、ステップＳ１０８に進む。
【０１３１】
なお、電源投入後、例えば連続して長時間の画像形成等が行われなければ、画像形成装置内の温度（取り込み温度）は、通常ステップＳ１０６に規定された温度以上に上昇することもない。
【０１３２】
このような場合、ストッパ４３２は規制位置４３３に位置し、本ステップでは規制位置４３３を維持させることは言うまでもない。
【０１３３】
また、何らかの原因で、ストッパ４３２が既に非規制位置４３４に位置しているような場合は、ステップＳ１０９では非規制位置４３４から規制位置４３３に移動させる。
【０１３４】
また、何らかの原因で、ストッパ４３２が既に規制位置４３３に位置しているような場合、ステップＳ１０９では規制位置４３３を維持させることは言うまでもない。
【０１３５】
なお、ストッパ４３２は、電源等が切られても本ステップで決められた位置を維持する。
【０１３６】
１６．制御系電源６２と駆動系電源６５への商用電力供給ＯＦＦ
主スイッチ６１のＯＦＦにより、制御系電源６２と駆動系電源６５への商用電力供給が絶たれ、次ステップ「制御系電力と駆動系電力の出力ＯＦＦ」に進む。
【０１３７】
１７．制御系電力と駆動系電力の出力ＯＦＦ
制御系電源６２と駆動系電源６５への商用電力供給が絶たれることにより、制御系電力と駆動系電力の出力がＯＦＦとなり、次ステップ「ファンＯＦＦ  シャッタ開閉ソレノイドＯＦＦ」に進む。
【０１３８】
１８．ファンＯＦＦ  シャッタ開閉ソレノイドＯＦＦ
駆動系電力の出力がＯＦＦとなることにより、ファン１６とシャッタ開閉ソレノイド４７１への通電が絶たれ、ファン１６は回転を停止する。
【０１３９】
また、シャッタ開閉ソレノイド４７１は通電停止により、付勢手段４６の付勢によりシャッタ４５が開方向（外気の取り入れを可能とする方向）に移動しようとする。
【０１４０】
ここで、制御系電源６２と駆動系電源６５とが出力ＯＮ中に、ステップＳ１０７でストッパ４３２を非規制位置４３４に移動させた場合は、付勢手段４６の付勢によりシャッタ４５が開位置に移動する。
【０１４１】
そして、制御系電源６２と駆動系電源６５の出力がＯＦＦされた後でも付勢手段４６の付勢によりシャッタ４５が開位置に位置する。
【０１４２】
これにより、例えば駆動系電力の出力がＯＦＦされた後でも外気の取り入れが可能となり、装置内に蓄えられた熱の排出が可能となる。
【０１４３】
ここで、制御系電源６２と駆動系電源６５とが出力ＯＮ中に、ステップＳ１０９で、ストッパ４３２を規制位置４３３に移動させている場合は、制御系電源６２と駆動系電源６５の出力がＯＦＦされた後でもシャッタ４５が開方向に移動できず、シャッタ４５は閉じ位置を維持する。
【０１４４】
これにより、例えば駆動系電力の出力がＯＦＦされた後、外気の取り入れが不能となり、外部から装置内へのゴミ等の侵入が防止可能となる。
【図面の簡単な説明】
【０１４５】
【図１】画像形成装置の概略断面図である。
【図２】外気取入口とシャッタとシャッタの動作を規制する規制手段との説明図である。
【図３】画像形成装置の電力供給関係を示す概念図である。
【図４】画像形成装置の制御に係るブロック図である。
【図５】画像形成装置の内部機器の冷却に係るフロー図である。
【符号の説明】
【０１４６】
１  画像形成装置
１ａ  筐体
９  操作パネル
１６  ファン
１８  温度センサ
４１  外気取入口
４３  規制手段
４５  シャッタ
４７  シャッタ開閉手段
５０  ダクト
９１  タッチパネル
３４１  トナーカートリッジ
Ｃ１  制御手段
【図１】
2009053407.tif 000003
【図２】
2009053407.tif 000004
【図３】
2009053407.tif 000005
【図４】
2009053407.tif 000006
【図５】
2009053407.tif 000007